(57)【要約】【課題】複数の電話番号を有する通信端末において、それらの電話番号の中から所望の電話番号を自動的に発信者番号として選択可能にする。【解決手段】携帯通信端末１は二つの電話番号を備えている。携帯通信端末２が携帯通信端末１の電話番号０９０−１２３に対し発信し、着信すると、着信履歴テーブル１５ａには、携帯通信端末２の発信者番号と、携帯通信端末１の着番号とが対応付けられ、記憶される。携帯通信端末１から携帯通信端末２へ発信するときは、着信履歴テーブル１５ａを参照して、着信した方の電話番号である０９０−１２３を発信者番号とする。【選択図】    図３
2007274644.tif 000002
【特許請求の範囲】
【請求項１】
複数の電話番号を有し、該複数の電話番号を選択的に発信者番号として選択可能な通信端末であって、
通話相手を示す番号と着番号との対応関係を記憶する手段と、該記憶する手段に記憶された通話相手を示す番号に発信するとき、前記記憶する手段の記憶内容に基づいて、前記着番号を発信者番号として選択する手段とを備えたことを特徴とする通信端末。
【請求項２】
請求項１記載の通信端末において、
前記記憶する手段に同一の通話相手を示す番号に対し複数の着番号が記憶されているとき、前記選択する手段は、最新の着信時の着番号を選択することを特徴とする通信端末。
【請求項３】
請求項１記載の通信端末において、
通話相手を示す番号と前記発信者番号との対応関係を登録する手段を備え、前記記憶する手段に、同一の通話相手を示す番号に対し複数の着番号が記憶されているとき、前記選択する手段は、前記登録する手段に登録されている発信者番号を選択することを特徴とする通信端末。
【請求項４】
請求項１記載の通信端末において、
通話相手を示す番号と着番号との対応関係を電話帳テーブルに登録する手段を備えたことを特徴とする通信端末。
【請求項５】
複数の電話番号を有し、該複数の電話番号を選択的に発信者番号として選択可能な携帯通信端末であって、
前記携帯通信端末の登録位置と前記複数の電話番号との対応関係を記憶する手段と、前記登録位置に応じて電話番号を選択する手段とを備えたことを特徴とする携帯通信端末。
【請求項６】
複数の電話番号を有し、該複数の電話番号を選択的に発信者番号として選択可能な通信端末であって、
日時と前記複数の電話番号との対応関係を記憶する手段と、日時に応じて電話番号を選択する手段とを備えたことを特徴とする通信端末。
【発明の詳細な説明】
【技術分野】
【０００１】
本発明は、複数の電話番号を有する通信端末に関し、詳細には、それらの電話番号の中から所望の電話番号を自動的に発信者番号として選択可能な通信端末に関する。
【背景技術】
【０００２】
１台の通信端末に複数の電話番号を持たせたものとして、「マルチナンバー」と呼ばれるサービスがある（http:www.docomokyusyu.co.jp）。このサービスでは、１台の携帯通信端末に対し、基本契約番号と、２つまでの付加番号とを与えており、例えば「プライベート用」、「ビジネス用」に使い分けることができる。発信時に使用される発信者番号は固定されているが、発信操作を行うときにメニュー画面から選択することで、変更することも可能である。
【０００３】
しかしながら、上記「マルチナンバー」では、例えば２つの電話番号を持っている場合、第１の電話番号に対し掛かってきた相手に対して発信するときは、第１の電話番号を発信者番号として選択し、第２の電話番号に対し掛かってきた相手に対して発信するときは、第２の電話番号を発信者番号として選択することが望ましいが、発信者番号が固定されているため、固定されていない方で発信するときは、発信操作の都度メニュー画面選択する必要がある。
【発明の開示】
【発明が解決しようとする課題】
【０００４】
本発明は、前記従来の問題点に鑑みてなされたものであり、その目的は、複数の電話番号を有する通信端末において、それらの電話番号の中から所望の電話番号を自動的に発信者番号として選択可能にすることである。
【課題を解決するための手段】
【０００５】
請求項１の発明は、複数の電話番号を有し、該複数の電話番号を選択的に発信者番号として選択可能な通信端末であって、通話相手を示す番号と着番号との対応関係を記憶する手段と、該記憶する手段に記憶された通話相手を示す番号に発信するとき、前記記憶する手段の記憶内容に基づいて、前記着番号を発信者番号として選択する手段とを備えたことを特徴とする。
請求項２の発明は、請求項１記載の通信端末において、前記記憶する手段に同一の通話相手を示す番号に対し複数の着番号が記憶されているとき、前記選択する手段は、最新の着信時の着番号を選択することを特徴とする。
請求項３の発明は、請求項１記載の通信端末において、通話相手を示す番号と前記発信者番号との対応関係を登録する手段を備え、前記記憶する手段に、同一の通話相手を示す番号に対し複数の着番号が記憶されているとき、前記選択する手段は、前記登録する手段に登録されている発信者番号を選択することを特徴とする。
請求項４の発明は、請求項１記載の通信端末において、通話相手を示す番号と着番号との対応関係を電話帳テーブルに登録する手段を備えたことを特徴とする。
請求項５の発明は、複数の電話番号を有し、該複数の電話番号を選択的に発信者番号として選択可能な携帯通信端末であって、前記携帯通信端末の登録位置と前記複数の電話番号との対応関係を記憶する手段と、前記登録位置に応じて電話番号を選択する手段とを備えたことを特徴とする。
請求項６の発明は、複数の電話番号を有し、該複数の電話番号を選択的に発信者番号として選択可能な通信端末であって、日時と前記複数の電話番号との対応関係を記憶する手段と、日時に応じて電話番号を選択する手段とを備えたことを特徴とする通信端末。
【０００６】
（作用）
請求項１の発明によれば、通話相手を示す番号と着番号との対応関係を記憶しておき、その記憶された通話相手を示す番号へ発信するとき、その着番号を発信者番号として選択する。
請求項２の発明によれば、通話相手を示す番号と着番号との対応関係を記憶しておき、その記憶された通話相手を示す番号へ発信するとき、着番号が複数記憶されている場合は、最新の着番号を発信者番号として選択する。
請求項３の発明によれば、通話相手を示す番号と着番号との対応関係を記憶しておき、その記憶された通話相手を示す番号へ発信するとき、着番号が複数記憶されている場合は、その記憶された通話相手を示す番号用に予め登録されている電話番号を発信者番号として選択する。
請求項４の発明によれば、通話相手を示す番号と着番号との対応関係を記憶すると共に、その対応関係を電話帳テーブルに登録する。
請求項５の発明によれば、携帯通信端末の登録位置に応じて、携帯通信端末の発信者番号を選択する。
請求項６の発明によれば、日時に応じて通信端末の発信者番号を選択する。
【発明の効果】
【０００７】
本発明によれば、複数の電話番号を有する通信端末において、それらの電話番号の中から所望の電話番号を自動的に発信者番号として選択できる。
【発明を実施するための最良の形態】
【０００８】
以下、本発明の実施形態について図面を参照して説明する。
図１は本発明の実施形態の携帯通信端末を用いて発着信を行う動作の一例を示す図である。この図において、携帯通信端末１が本実施形態の通信端末であり、携帯通信端末１、携帯通信端末２、及び固定通信端末３は、通信網４を介して互いに通信可能である。
【０００９】
携帯通信端末１は、二つの電話番号（ここでは、０９０−１２３及び０９０−５５５）を契約番号として備えており、それらの電話番号のうち一つを発信者番号として選択できる。また、着信があったときは、着番号を発信者番号として選択できる。図に示すように、０９０−９８７の電話番号を有する携帯通信端末２が、携帯通信端末１の二つの電話番号のうち０９０−１２３に発信して着信した場合、携帯通信端末１は携帯通信端末２へ発信するとき、自動的に着番号である０９０−１２３を発信者番号として発信し、０４２−５６７の契約電話番号を有する固定通信端末３が０９０−５５５に発信して着信した場合、携帯通信端末１は固定通信端末３へ発信するとき、自動的に着番号である０９０−５５５を発信者番号として発信する。この発信者番号は、携帯通信端末２及び固定通信端末３に通知され、表示されるので、それらの電話装置のユーザは表示された発信者番号を見ることで、携帯通信端末１のユーザからの着信であることが分かる。
【００１０】
図２に示すように、携帯通信端末１は、制御部１１と、それぞれ制御部１１に接続された無線通信部１２、通話回路部１３、操作部１４、及び記憶部１５を備えている。また、通話回路部１３には、マイクロフォン（以下、マイクと言う）１６及びスピーカ１７が接続されている。
【００１１】
制御部１１はマイクロプロセッサ等で構成されており、この携帯通信端末１全体の制御等を行う。無線通信部１２は、通信網４の無線基地局（図示せず）との間で音声信号及び各種制御信号等をアンテナを介して送受信する。通話回路部１３は、マイク１６及びスピーカ１７と無線通信部１２との間の音声信号伝送路（送話パス、受話パス）を形成する。操作部１４は、電話番号入力用の数字キー、電源キー、各種機能キーからなり、ユーザの指令を入力するために用いられる。記憶部１５は制御部１１が各種動作を行うときに使用するプログラムが記憶されたＲＯＭ、制御部１１が各種動作を行うときのワークエリアとなるＲＡＭ、各種データを記憶するためのフラッシュメモリ等からなる。ここでは、着信履歴テーブル１５ａ及び電話帳テーブル１５ｂのみを図示した。マイク１６はユーザの発生した音声を音声信号（電気信号）に変換して通話回路部１３へ出力し、スピーカ１７は通話回路部１３から出力された音声信号を音声に変換して出力する。
【００１２】
以上の構成を有する携帯通信端末１の動作について、図３及び４を用いて説明する。ここで、図３は携帯通信端末１に着信したときに、着信履歴テーブル１５ａに記憶される情報を示す図であり、図４は着信履歴テーブル１５ａの記憶内容に基づいて、発信者番号を決定する動作を示す図である。
【００１３】
図３に示すように、電話番号０９０−９８７の携帯通信端末２が携帯通信端末１の電話番号０９０−１２３に対し発信し、携帯通信端末１が着信すると、着信履歴テーブル１５ａには、携帯通信端末２の発信者番号である０９０−９８７と、携帯通信端末１の着番号である０９０−１２３とが対応付けられ、記憶される。また、電話番号０４２−５６７の固定通信端末３が携帯通信端末１の電話番号０９０−５５５に対し発信し、携帯通信端末１が着信すると、着信履歴テーブル１５ａには、固定通信端末３の発信者番号である０４２−５６７と、携帯通信端末１の着番号である０９０−５５５とが対応付けられ、記憶される。
【００１４】
携帯通信端末１から携帯通信端末２へ発信するときに、操作部１４から携帯通信端末２の電話番号が入力されると、制御部１１は、着信履歴テーブル１５ａにアクセスし、携帯通信端末２の着信履歴から、二つの電話番号のうち何れに着信したのかを調べ、着信した方の電話番号を発信者番号として発信する。ここでは、０９０−１２３に着信しているので、０９０−１２３を発信者番号としている。同様に、携帯通信端末１から固定通信端末３へ発信するときは、０９０−５５５に着信しているので、０９０−５５５を発信者番号としている。
【００１５】
なお、着信履歴テーブル１５ａに、同一の発信者から異なる着信番号で着信したことが記憶されている場合は、最新の着信時の着信番号を発信者番号として選択するか、又は予め相手先毎に発信者番号を登録しておき、登録されている発信者番号に対して発信するように構成する。
【００１６】
次に図５を参照しながら、着信者情報を着信履歴テーブル１５ａに記憶すると共に、電話帳テーブル１５ｂに登録する動作、及び電話帳テーブル１５ｂに登録されているデータに基づいて発信者番号を決定する動作を示す図である。
【００１７】
電話番号０９０−９８７の携帯通信端末２が携帯通信端末１の電話番号０９０−１２３に対し発信し、着信すると、着信履歴テーブル１５ａには、携帯通信端末２の発信者番号である０９０−９８７と、携帯通信端末１の着番号である０９０−１２３とが対応付けられ、記憶される。また、この着信者情報は、電話帳テーブル１５ｂにも登録される。
【００１８】
発信するときに、操作部１４の操作により電話帳テーブル１５ｂの中身を表示させ、電話を掛ける相手先を選択すると、制御部１１は、選択された相手先の電話番号及びそれに対応付けられて登録されている着信番号を読み出し、その着信番号を発信者番号として、相手先の電話番号に対し発信する。ここでは、０９０−５５５を発信者番号として、０４２−５６７の固定通信端末３へ発信している。
【００１９】
以上説明したように、本実施形態の携帯通信端末１によれば、着信履歴テーブル１５ａに記憶されている相手先の電話番号と着信番号との対応関係に基づいて、その相手先に発信するとき、その着信番号を発信者番号とするので、自分に掛かってきた電話番号を自動的に発信者番号にすることができる。
【００２０】
なお、本発明は例えば下記（１）〜（３）のような変形が可能である。
（１）例えば携帯通信端末１がオフィスの存在するエリアをカバーする基地局に位置登録されているときは、ビジネス用の電話番号で発信し、自宅の存在するエリアをカバーする基地局に位置登録されているときは、プライベート用の電話番号で発信するように、携帯通信端末１の登録位置と発信者番号とを対応付けて記憶部１５に記憶しておき、携帯通信端末１の登録位置を検出し、その登録位置に応じて発信者番号を選択する。なお、登録位置の検出方法としては、予めオフィスの存在するエリアをカバーする基地局の基地局ＩＤと、自宅の存在するエリアをカバーする基地局ＩＤとを記憶部５７に保存しておき、位置登録時に検出される基地局ＩＤと比較することで検出できる。
（２）例えば月曜日から金曜日の午前９時から午後５時迄はビジネス用の電話番号で発信し、それ以外はプライベート用の電話番号で発信するように、日時と発信者番号とを対応付けて記憶部１５に記憶しておき、時計により検出した日時に応じて発信者番号を選択する。
（３）通常の発信時に使用する電話番号と、通常は使用しない電話番号（裏番号など）とを設定すると共に、電話帳に特定の人を登録するとき、通常は使用しない電話番号を使用するための設定を行う。そして、その特定の人から着信があった場合は、その着番号が通常の発信時に使用する番号であっても、その特定の人に発信するときは、通常は使用しない電話番号を発信者番号とする。
【図面の簡単な説明】
【００２１】
【図１】本発明の実施形態の携帯通信端末を用いて発着信を行う動作の一例を示す図である。
【図２】本発明の実施形態の携帯通信端末のブロック図である。
【図３】本発明の実施形態の着信履歴テーブルに記憶される情報を示す図である。
【図４】着信履歴テーブルの記憶内容に基づいて、発信者番号を決定する動作を示す図である。
【図５】着信者情報を着信履歴テーブルに記憶すると共に、電話帳テーブルに登録する動作、及び電話帳テーブルに登録されているデータに基づいて発信者番号を決定する動作を示す図である。
【符号の説明】
【００２２】
１・・・携帯通信端末、１１・・・制御部、１５・・・記憶部、１５ａ・・・着信履歴テーブル、１５ｂ・・・電話帳テーブル。
【図１】
2007274644.tif 000003
【図２】
2007274644.tif 000004
【図３】
2007274644.tif 000005
【図４】
2007274644.tif 000006
【図５】
2007274644.tif 000007